(57)【要約】      （修正有）【課題】カートリッジからサブタンクへ供給可能な液体が無くなった後もヘッドから液体を排出することができることを、ユーザが視覚的に理解できる手段を提供する。【解決手段】複合機は、筐体と、筐体に設けられたカートリッジケース１０１と、カートリッジケースに装着可能なインクカートリッジ３０と、インクカートリッジから供給されたインクを貯留する貯留室を有するタンクと、流出口を通じて貯留室から流出したインクを排出する記録ヘッドと、を備える。タンク１０３は、貯留室に貯留されているインクを、筐体の外部から視認可能なタンク視認面１２２を有する。【選択図】図３
2019116017.tif 000002
【特許請求の範囲】
【請求項１】
本体と、
上記本体に設けられたカートリッジケースと、
上記カートリッジケースに装着可能であって、液体が貯留された第１貯留室、上記第１貯留室を大気に連通させる第１大気連通部、及び上記第１貯留室に貯留された液体を供給する供給部を有するカートリッジと、
上記供給部が接続されるジョイントと、
上記ジョイントに接続された上記供給部を通じて上記第１貯留室から水頭差によって供給された液体が流入する流入口、当該流入口を通じて流入する液体を貯留する第２貯留室、上記流入口より下方において上記第２貯留室に貯留された液体を流出させる流出口、及び上記第２貯留室を大気に連通させる第２大気連通部を有するタンクと、
上記流出口を通じて上記第２貯留室から流出した液体を排出するヘッドと、を備える液体排出装置であって、
上記タンクは、上記第２貯留室に貯留されている液体を、上記本体の外部から視認可能なタンク視認面を有する液体排出装置。
【請求項２】
上記第２貯留室は、上記カートリッジケースに装着された上記カートリッジの上記供給部より下方に位置する下部領域を有しており、
上記タンク視認面は、上記下部領域に位置する請求項１に記載の液体排出装置。
【請求項３】
上記第２貯留室は、上記下部領域より下方に位置する最下部領域を有しており、
上記流出口は、上記最下部領域に位置する請求項２に記載の液体排出装置。
【請求項４】
上記タンク視認面は、上記第２貯留室に貯留された液体の液面を視認可能とするものである請求項１から３のいずれかに記載の液体排出装置。
【請求項５】
上記カートリッジは、上記カートリッジケースの開口を通じて水平方向へ挿抜されるものである請求項１から４のいずれかに記載の液体排出装置。
【請求項６】
上記視認面は、上記タンクにおいて、上記カートリッジケースの開口が位置する側の面である請求項５に記載の液体排出装置。
【請求項７】
上記カートリッジは、上記第１貯留室に貯留された液体の状態を、上記本体の外部から視認可能なカートリッジ視認面を有しており、
上記カートリッジ視認面は、上記カートリッジケースに装着された上記カートリッジにおいて、上記カートリッジケースの開口を通じて外部へ露出される請求項６に記載の液体排出装置。
【請求項８】
上記本体は、上記タンク視認面を外部から視認可能な窓を有する請求項１から７のいずれかに記載の液体排出装置。
【請求項９】
上記本体は、上記カートリッジケースの開口を開閉するカバーを有するものであり、
上記窓は、上記カバーに設けられている請求項８に記載の液体排出装置。
【請求項１０】
上記本体は、上記カートリッジケースの開口を開閉するカバーを有するものであり、
上記窓は、上記カバーより下方に位置する請求項８に記載の液体排出装置。
【請求項１１】
上記カートリッジケースは、底板を貫通する貫通口を有しており、
上記タンク視認面は、貫通口を通じて視認可能である請求項１から４のいずれかに記載の液体排出装置。
【請求項１２】
上記本体は、上記カートリッジケースの開口を開閉するカバーを有しており、
上記カバーは、上記カートリッジケースの上記貫通口を外部から視認可能な窓を有する請求項９に記載の液体排出装置。
【発明の詳細な説明】
【技術分野】
【０００１】
本発明は、カートリッジ及びタンクに貯留された液体を排出する液体排出装置に関する。
【背景技術】
【０００２】
例えば特許文献１には、インクが貯留されたカートリッジと、カートリッジが着脱される装着部と、装着部に装着されたカートリッジから水頭差によって供給されたインクを貯留するサブタンクと、サブタンクに貯留されたインクを吐出して被記録媒体に画像を記録する記録部とを備えるインクジェット記録装置が開示されている。
【先行技術文献】
【特許文献】
【０００３】
【特許文献１】特開２００８−２３８７９２号公報
【発明の概要】
【発明が解決しようとする課題】
【０００４】
上記構成のインクジェット記録装置は、カートリッジからサブタンクに供給可能なインクが無くなって（以下、「カートリッジエンプティ」と表記する。）から当該カートリッジが交換されるまでの期間に、サブタンクに貯留されたインクを吐出して画像記録を継続することができる。しかしながら、ユーザは、カートリッジからサブタンクに供給可能なインクが無くなっているにも拘わらず画像記録が継続できることを視覚的に理解することができない。
【０００５】
本発明は、上記の事情に鑑みてなされたものであり、その目的は、カートリッジからサブタンクへ供給可能な液体が無くなった後もヘッドから液体を排出することができることを、ユーザが視覚的に理解できる手段を提供することにある。
【課題を解決するための手段】
【０００６】
(1)  本発明に係る液体排出装置は、本体と、上記本体に設けられたカートリッジケースと、上記カートリッジケースに装着可能であって、液体が貯留された第１貯留室、上記第１貯留室を大気に連通させる第１大気連通部、及び上記第１貯留室に貯留された液体を供給する供給部を有するカートリッジと、上記供給部が接離可能なジョイントと、上記ジョイントに接続された上記供給部を通じて上記第１貯留室から水頭差によって供給された液体が流入する流入口、当該流入口を通じて流入する液体を貯留する第２貯留室、上記流入口より下方において上記第２貯留室に貯留された液体を流出させる流出口、及び上記第２貯留室を大気に連通させる第２大気連通部を有するタンクと、上記流出口を通じて上記第２貯留室から流出した液体を排出するヘッドと、を備える。上記タンクは、上記第２貯留室に貯留されている液体を、上記本体の外部から視認可能なタンク視認面を有する。
【０００７】
上記構成によれば、タンク視認面を通じて第２貯留室に貯留されている液体の状態を、本体の外部から確認することができる。
【０００８】
(2)  好ましくは、上記第２貯留室は、上記カートリッジケースに装着された上記カートリッジの上記供給部より下方に位置する下部領域を有しており、上記タンク視認面は、上記下部領域に位置する。
【０００９】
上記構成によれば、カートリッジの第１貯留室から液体が供給されなくなった後の、第２貯留室の下部領域に貯留されている液体の状態を、本体の外部から確認することができる。
【００１０】
(3)  好ましくは、上記第２貯留室は、上記下部領域より下方に位置する最下部領域を有しており、上記流出口は、上記最下部領域に位置する。
【００１１】
上記構成によれば、エンプティが判断されるときに第２貯留室に残る液体がタンク視認面を通じて視認されない。これにより、ユーザが、タンク視認面を通じてエンプティを直感的に把握できる。また、流出口からヘッドへ気体が進入することを抑制できる。
【００１２】
(4)  好ましくは、上記タンク視認面は、上記第２貯留室に貯留された液体の液面を視認可能とするものである。
【００１３】
上記構成によれば、上記第２貯留室に貯留された液体の量がタンク視認面を通じて把握できる。
【００１４】
(5)  好ましくは、上記カートリッジは、上記カートリッジケースの開口を通じて水平方向へ挿抜されるものである。
【００１５】
(6)  好ましくは、上記視認面は、上記タンクにおいて、上記カートリッジケースの開口が位置する側の面である。
【００１６】
上記構成によれば、カートリッジの挿抜を操作する側からタンク視認面を確認することができる。
【００１７】
(7)  好ましくは、上記カートリッジは、上記第１貯留室に貯留された液体の状態を、上記本体の外部から視認可能なカートリッジ視認面を有しており、上記カートリッジ視認面は、上記カートリッジケースに装着された上記カートリッジにおいて、上記カートリッジケースの開口を通じて外部へ露出される。
【００１８】
上記構成によれば、カートリッジ視認面を通じて第１貯留室に貯留されている液体の状態を、本体の外部から確認することができる。また、カートリッジ視認面を上方として、カートリッジ視認面とタンク視認面とが上下にレイアウトされるので、第１貯留室及び第２貯留室にそれぞれ貯留されている液体の状態が把握しやすい。
【００１９】
(8)  好ましくは、上記本体は、上記タンク視認面を外部から視認可能な窓を有する。
【００２０】
上記構成によれば、本体の窓を通じてタンク視認面を視認することができる。
【００２１】
(9)  好ましくは、上記本体は、上記カートリッジケースの開口を開閉するカバーを有するものであり、上記窓は、上記カバーに設けられている。
【００２２】
(10)  好ましくは、上記本体は、上記カートリッジケースの開口を開閉するカバーを有するものであり、上記窓は、上記カバーより下方に位置する。
【００２３】
(11)  好ましくは、上記カートリッジケースは、底板を貫通する貫通口を有しており、上記タンク視認面は、貫通口を通じて視認可能である。
【００２４】
上記構成によれば、カートリッジケースからカートリッジが取り外された状態において、カートリッジケースの貫通口を通じて、タンク視認面が視認可能である。
【００２５】
(12)  好ましくは、上記本体は、上記カートリッジケースの開口を開閉するカバーを有しており、上記カバーは、上記カートリッジケースの上記貫通口を外部から視認可能な窓を有する。
【００２６】
上記構成によれば、カートリッジケースからカートリッジが取り外された状態において、カートリッジケースの貫通口及びカバーの窓を通じて、本体の外部からタンク視認面が視認可能である。
【発明の効果】
【００２７】
本発明によれば、カートリッジからサブタンクへ供給可能な液体が無くなった後もヘッドから液体を排出することが可能であることを、ユーザが視覚的に理解できる。
【図面の簡単な説明】
【００２８】
【図１】図１は、複合機１０の外観斜視図であって、（Ａ）はカバー８７が閉塞位置である状態、（Ｂ）はカバー８７が開放位置である状態を示す。
【図２】図２は、プリンタ部１１の内部構造を模式的に示す縦断面図である。
【図３】図３は、カートリッジ装着部１１０の開口１１２側の外観斜視図である。
【図４】図４は、カートリッジ装着部１１０の縦断面図である。
【図５】図６は、インクカートリッジ３０の後方斜視図である。
【図６】図６は、インクカートリッジ３０の縦断面図である。
【図７】図７は、カートリッジ装着部１１０にインクカートリッジ３０が装着された状態の縦断面図である。
【図８】図８は、変形例に係るカートリッジ装着部１１０を示す外観斜視図である。
【図９】図９は、その他の変形例に係る複合機１０の外観斜視図である。
【発明を実施するための形態】
【００２９】
以下、本発明の実施形態について説明する。なお、以下に説明される実施形態は本発明の一例にすぎず、本発明の要旨を変更しない範囲で、本発明の実施形態を適宜変更できることは言うまでもない。また、複合機１０が使用可能に水平面に設置された姿勢（図１の姿勢であって、「使用姿勢」と表記することがある。）を基準として上下方向７が定義され、複合機１０の開口１３が設けられている面を前面として前後方向８が定義され、複合機１０を前面から見て左右方向９が定義される。本実施形態では、使用姿勢において、上下方向７が鉛直方向に相当し、前後方向８及び左右方向９が水平方向に相当する。前後方向８及び左右方向９は、直交している。
【００３０】
［複合機１０の全体構成］
複合機１０は、図１に示されるように、インクジェット記録方式でシート１２（図２参照）に画像を記録するプリンタ部１１を下部に有している。また、複合機１０は、ファクシミリ機能、スキャン機能、及びコピー機能などの各種の機能を有していてもよい。複合機１０は、液体排出装置の一例である。プリンタ部１１は、概ね直方体形状の筐体１４（本体の一例）を有している。筐体１４の内部には、図２に示されるように、給送トレイ１５と、排出トレイ１６と、給送ローラ２３と、搬送ローラ対２５と、排出ローラ対２７と、記録部２４と、プラテン２６とが配置されている。
【００３１】
［給送トレイ１５、排出トレイ１６、給送ローラ２３］
図１に示されるように、筐体１４の前面１４Ａで且つ左右方向９の概ね中央には、開口１３が形成されている。給送トレイ１５は、開口１３を通じて前後方向８に挿抜される。給送トレイ１５は、各々が積層された複数のシート１２を支持する。排出トレイ１６は、給送トレイ１５の上方に配置されている。排出トレイ１６は、記録部２４及びプラテン２６の間から排出ローラ対２７によって排出されたシート１２を支持する。給送ローラ２３は、不図示のモータによって駆動されることによって、給送トレイ１５に支持されたシート１２を搬送路１７へ給送する。
【００３２】
［搬送路１７］
搬送路１７は、図２に示されるように、ガイド部材１８、１９、記録部２４、プラテン２６等によって形成される空間を指す。ガイド部材１８、１９と、記録部２４及びプラテン２６とは、それぞれがプリンタ部１１の内部において所定間隔で対向する。搬送路１７は、給送トレイ１５の後端部から上方に延びつつＵターンし、記録部２４に対面する位置を経由して排出トレイ１６に至る経路である。搬送向きは、図２において一点鎖線の矢印で示されている。
【００３３】
［搬送ローラ対２５］
搬送ローラ対２５は、記録部２４より搬送向きの上流に配置されている。搬送ローラ対２５は、互いに対向する搬送ローラ２５Ａ及びピンチローラ２５Ｂを備える。搬送ローラ２５Ａは、不図示のモータによって駆動される。ピンチローラ２５Ｂは、搬送ローラ２５Ａの回転に伴って連れ回る。シート１２は、モータの正転駆動力が伝達されて正回転する搬送ローラ２５Ａ及びピンチローラ２５Ｂに挟持されて、搬送向きに沿って搬送される。
【００３４】
［排出ローラ対２７］
排出ローラ対２７は、記録部２４より搬送向きの下流に配置されている。排出ローラ対２７は、互いに対向する排出ローラ２７Ａ及び拍車２７Ｂを備える。排出ローラ２７Ａは、不図示のモータによって駆動される。拍車２７Ｂは、排出ローラ２７Ａの回転に伴って連れ回る。シート１２は、モータの正転駆動力が伝達されて正回転する排出ローラ２７Ａ及び拍車２７Ｂに挟持されて、搬送向きに沿って搬送される。
【００３５】
［記録部２４、プラテン２６］
記録部２４及びプラテン２６は、図２に示されるように、搬送向きにおける搬送ローラ対２５及び排出ローラ対２７の間に配置されている。より詳細には、記録部２４及びプラテン２６は、搬送ローラ対２５より搬送向きの下流で、且つ排出ローラ対２７より搬送向きの上流に配置されている。また、記録部２４及びプラテン２６は、上下方向７において互いに対向して配置されている。
【００３６】
記録部２４は、キャリッジ２２と、キャリッジ２２に搭載された記録ヘッド２１とを備える。キャリッジ２２は、不図示のモータの駆動力が伝達されて左右方向９に往復移動する。記録ヘッド２１の下面には、複数のノズル２９が形成されている。記録ヘッド２１は、ピエゾ素子等の振動素子を振動させることによって、ノズル２９からインク滴を吐出する。キャリッジ２２が移動する過程において、プラテン２６に支持されたシート１２に対して記録ヘッド２１がインク滴を選択的に吐出することによって、シート１２に画像が記録される。
【００３７】
キャリッジ２２には、インクチューブ及びフレキシブルフラットケーブルが接続されている。インクチューブは、後述するカートリッジ装着部１１０（図３参照）と記録ヘッド２１とを接続する。より詳細には、インクチューブは、カートリッジ装着部１１０に装着された各インクカートリッジ３０（カートリッジの一例）に貯留されたインクを記録ヘッド２１に供給する。インクチューブは、各色（ブラック、マゼンタ、シアン、イエロー）のインクが流通する４本のチューブが束ねられたものである。フレキシブルフラットケーブルは、複合機１０の動作を制御する制御基板と記録ヘッド２１とを電気的に接続する。
【００３８】
［カバー８７］
筐体１４の前面１４Ａで且つ左右方向９の右端部には、開口８５が形成されている。筐体１４は、開口８５を閉塞させる閉塞位置（図１（Ａ）に示される位置）と、開口８５を開放する開放位置（図１（Ｂ）に示される位置）との間を回動可能なカバー８７を有する。カバー８７は、上下方向７における筐体１４の下端近傍において、左右方向９に延びる回動軸線周りに回動可能に、筐体１４によって支持されている。そして、開口８５の奥に広がる筐体１４内部の収容空間８６には、カートリッジ装着部１１０が配置されている。カバー８７は、窓８４ を有する。窓８４は、透過性を有している。カバー８７が開口８５を閉じた状態において、窓８４を通じて、インクカートリッジ３０及びタンク視認面１２２を外部から視認可能である。つまり、カバー８７が開口８５を閉じた状態において、窓８４は、上下方向７において、インクカートリッジ３０の前壁４１から、カートリッジケース１０１の開口１１２の下方まで至っている。
【００３９】
［カートリッジ装着部１１０］
カートリッジ装着部１１０は、図３，４に示されるように、カートリッジケース１０１と、ロッド１２５と、ロック部１２９と、タンク１０３と、液面センサ５５とを備えている。カートリッジ装着部１１０には、シアン、マゼンタ、イエロー、ブラックの各色に対応する４つのインクカートリッジ３０が収容可能である。ロッド１２５、タンク１０３、及び液面センサ５５は、４つのインクカートリッジ３０それぞれに対応して、４つずつ設けられている。なお、カートリッジ装着部１１０に収容可能なインクカートリッジ３０の数は、４つに限定されない。なお、図３においては、カートリッジ装着部１１０の左端に１個のインクカートリッジ３０が装着されている。
【００４０】
カートリッジケース１０１は、カートリッジ装着部１１０の筐体を構成する。カートリッジケース１０１は、インクカートリッジ３０を収容する内部空間を有する箱形状である。カートリッジケース１０１は、前後方向８において奥壁と対向するカートリッジケース１０１の前端は、カートリッジケース１０１の内部空間を露出させる開口１１２となっている。さらに、開口１１２は、カバー８７を開放位置に配置したときに、筐体１４の開口８５を通じて複合機１０の外部に露出される。
【００４１】
インクカートリッジ３０は、筐体１４の開口８５及びカートリッジ装着部１１０の開口１１２を通じて、カートリッジ装着部１１０に対して、前後方向８（移動方向の一例）の後方に向けて挿入され、前後方向８の前方に向けて抜去される。各インクカートリッジ３０は、左右方向９に離間して底壁１４２に設けられた各ガイド溝１０９に、インクカートリッジ３０の下端部が挿入されることによって、前後方向８へ案内される。カートリッジケース１０１には、内部空間を左右方向９に隣接する４つの空間に仕切る３つのプレート１０４が設けられている。プレート１０４によって仕切られた各空間に、異なる色のインクが貯留された４つのインクカートリッジ３０が収容される。
【００４２】
［ロッド１２５］
ロッド１２５は、図４に示されるように、カートリッジケース１０１の奥壁から前方へ突出している。カートリッジケース１０１の奥壁において、ロッド１２５は、後述するジョイント１０７より上方に設けられている。ロッド１２５は、インクカートリッジ３０がカートリッジ装着部１１０に装着された状態において、後述する大気連通口９６を通じて大気バルブ室３６に進入する。
【００４３】
[ロック部１２９]
ロック部１２９は、図３及び図４に示されるように、カートリッジケース１０１の天壁付近で且つ開口１１２付近において、カートリッジケース１０１の左右方向９に延出されている。ロック部１２９は、左右方向９に沿って延びる棒状の部材である。ロック部１２９は、例えば、金属の円柱である。ロック部１２９の左右方向９の両端は、カートリッジケース１０１の側壁に固定されている。ロック部１２９は、４つのインクカートリッジ３０が収納可能な４つの空間に亘って左右方向９に延びている。
【００４４】
ロック部１２９は、カートリッジ装着部１１０に装着されたインクカートリッジ３０を、図７に示される装着位置に保持するためのものである。インクカートリッジ３０は、カートリッジ装着部１１０に装着された状態で、ロック部１２９に係合される。これにより、ロック部１２９は、コイルバネ７８，９８がインクカートリッジ３０を後方へ押す力に抗して、インクカートリッジ３０を装着位置に保持する。
【００４５】
［タンク１０３］
タンク１０３は、図５に示されるように、カートリッジケース１０１の下方かつ後方に設けられている。タンク１０３は、タンク１０３を構成する壁のうち、少なくとも後述する液面センサ５５に対面する領域（プリズム）は、液面センサ５５から出力させる光を透過する透光性を有する。また、タンク視認面１２２は、タンク１０３内のインクの液面を視認可能な透光性を有する。
【００４６】
タンク１０３は、内部に貯留室１２１を有する箱形状である。貯留室１２１は、後述されるジョイント１０７が接続された上部領域１２１Ｕと、上部領域１２１Ｕの下方に位置する下部領域１２１Ｌと、下部領域１２１Ｌより下方に位置しており、後述する流出口１２８が接続された最下部領域１２０と、を有する。貯留室１２１は、第２貯留室の一例である。なお、図４においては、上部領域１２１Ｕと下部領域１２１Ｌとの境界、下部領域１２１Ｌと最下部領域１２０との境界が、それぞれ破線で示されている。
【００４７】
上部領域１２１Ｕは、カートリッジケース１０１の奥壁より後方において、上下方向７に延びている。下部領域１２１Ｌは、カートリッジケース１０１の底壁１４２より下方において、前後方向８に延びている。図７に示されるように、インクカートリッジ３０がカートリッジ装着部１１０に装着された状態において、カートリッジケース１０１の底壁１４２に形成されたガイド溝１０９（図４参照）上には、インクカートリッジ３０の下壁４２が位置する。したがって、下部領域１２１Ｌは、インクカートリッジ３０の下壁４２に沿って、上部領域１２１Ｕよりも前方に突出していることとなる。
【００４８】
下部領域１２１Ｌの前後方向８の前方のタンク視認面１２２は、カートリッジ装着部１１０に装着された状態のインクカートリッジ３０の前壁４１（カートリッジ視認面の一例）と、前後方向８において概ね同じ位置Ｐ２である。
【００４９】
各図には詳細に現れていないが、上部領域１２１Ｕの左右方向９に沿った寸法と、下部領域１２１Ｌの左右方向９に沿った寸法は同等である。したがって、前後方向８に沿った寸法が長い分だけ、下部領域１２１Ｌの（最大）水平断面積は、上部領域１２１Ｕの（最大）水平断面積より大きい。
【００５０】
上部領域１２１Ｕの上部には大気連通ポート１２４（第２大気連通部の一例）が形成されている。大気連通ポート１２４は、貯留室１２１を大気に連通させる。なお、大気連通ポート１２４は、制御基板による制御によって開閉されてもよい。また、大気連通ポート１２４の流路には、不図示のラビリンス通路或いは半透膜が設けられていてもよい。
【００５１】
最下部領域１２０は、下部領域１２１Ｌのタンク視認面１２２より下方に位置する。最下部領域１２０の水平断面積は、下部領域１２１Ｌの水平断面積より小さい。最下部領域１２０の底付近に流出口１２８が形成されている。貯留室１２１は、流出口１２８を通じて、インクチューブに連通されている。貯留室１２１に貯留されたインクは、流出口１２８から流出して、インクチューブを通じて記録ヘッド２１へ供給される。なお、最下部領域１２０の水平断面積は、下部領域１２１Ｌの水平断面積と同等ないし大きくてもよい。
【００５２】
［ジョイント１０７］
図３及び図４に示されるように、ジョイント１０７は、管状の樹脂からなるインクニードル１０２と、ガイド部１０５とを備えている。インクニードル１０２は、タンク１０３から前方へ突出している。インクニードル１０２の突出先端には、開口１１６が設けられている。また、インクニードル１０２の内部空間は、開口１１７（流入口の一例）を通じて貯留室１２１の上部領域１２１Ｕに連通されている。開口１１７は、流出口１２８より上方に位置する。さらに、インクニードル１０２は、カートリッジ装着部１１０に装着されたインクカートリッジ３０のインク供給部３４（図７参照、供給部の一例）に対応する位置に配置されている。
【００５３】
ガイド部１０５は、インクニードル１０２の周囲に配置された円筒形状の部材である。ガイド部１０５は、タンク１０３から前方に突出し、その突出端に開口が設けられている。インクニードル１０２は、ガイド部１０５の中心に配置されている。インクカートリッジ３０がカートリッジ装着部１１０に装着されるとき、インク供給部３４は、ガイド部１０５の内部に進入する。
【００５４】
インクニードル１０２の内部空間には、バルブ１１４及びコイルバネ１１５が収容されている。バルブ１１４は、インクニードル１０２の内部空間において、開口１１６を閉塞させる閉位置と、開口１１６を開放する開位置との間を、前後方向８に沿って移動可能に構成されている。コイルバネ１１５は、バルブ１１４を閉位置に移動させる向き、すなわち前方に付勢している。閉位置のバルブ１１４の前端は、開口１１６よりも前方へ突出している。
【００５５】
［液面センサ５５］
液面センサ５５は、液面センサ５５は、貯留室１２１に貯留されたインクの液面が境界位置Ｐ１より高いとき、ローレベル信号を制御基板へ出力する。一方、液面センサ５５は、貯留室１２１に貯留されたインクの液面が境界位置Ｐ１以下のとき、ハイレベル信号を制御基板へ出力する。液面センサ５５は、貯留室１２１の側壁にインクが接触しているか否かによって異なる反射率を有するプリズムを利用して、貯留室１２１におけるインクの液面を光学的に検出するセンサである。
【００５６】
例えば、複合機１０のコントローラは、液面センサ５５からローレベル信号を受信したことに応じて、インクカートリッジ３０から供給されるインクがないことを示すカートリッジエンプティを判断する。また、複合機１０のコントローラは、液面センサ５５からローレベル信号を受信してから、記録ヘッド２１から排出されるインク量を印字データなどからカウントすることによって、貯留室１２１のインクの液面が、下部領域１２１Ｌと最下部領域１２０との境界未満となったことに応じて、インクエンプティを判断する。インクエンプティは、貯留室１２１のインクの液面が下降することによって、流出口１２８に空気が進入することを防ぐために、画像記録を停止する状態である。したがって、インクエンプティと判断された状態において、貯留室１２１にインクが残っていてもよい。なお、インクエンプティが判断されるときのインクの液面の位置は、視認面１２２より下方の最下部領域１２０であって、かつ流出口１２８より上方であればよい。また、液面センサ５５が検知するインクの液面は、位置Ｐ１に限らない。例えば、上部領域１２１Ｕと下部領域１２１Ｕとの境界位置において、液面センサ５５がインクの液面を検知してもよい。
【００５７】
なお、液面センサ５５は、他の公知の構成が採用されてもよい。例えば、被検出部を有するアクチュエータが貯留室１２１に設けられ、インクの液面が境界位置Ｐ１未満になればアクチュエータが回動することによって被検出部の位置が変化してもよい。アクチュエータの被検出部が光学センサによって検知されるか否かによって、インクの液面が境界位置Ｐ１未満であるかを判定することができる。また、液面センサ５５として、貯留室１２１に挿入された電極棒が採用されてもよい。
【００５８】
［インクカートリッジ３０］
インクカートリッジ３０は、インクが貯留される容器である。インクカートリッジ３０は、図５に示されるように、略直方体形状の筐体３１を有する。筐体３１は、上下方向７及び前後方向８それぞれに沿った寸法が、左右方向９に沿った寸法よりも大きい扁平形状である。なお、異なる色のインクが貯留されるインクカートリッジ３０の外形形状は、同一であってもよいし、異なっていてもよい。筐体３１は、後壁４０と、前壁４１と、上壁３９と、下壁４２と、側壁３７、３８とで構成されている。
【００５９】
後壁４０は、第１後壁４０Ａと、第２後壁４０Ｂと、第３後壁４０Ｃとで構成される。第１後壁４０Ａは、第２後壁４０Ｂより前後方向８の前方で且つ上下方向７の上方に位置する。また、第２後壁４０Ｂは、第３後壁４０Ｃより前後方向の後方で且つ上下方向７の上方に位置する。さらに、第３後壁４０Ｃは、第１後壁４０Ａより前後方向８の前方で且つ上下方向７の下方に位置する。第１後壁４０Ａには、大気連通口９６が設けられている。第３後壁４０Ｃには、インク供給部３４が設けられている。
【００６０】
インクカートリッジ３０の筐体３１は、図６に示されるように、基部４８と、突部４９とに大別される。基部４８は、例えば、上壁３９の前方側の一部、前壁４１、下壁４２、第３後壁４０Ｃ、及び側壁３７、３８の前方側の一部で囲まれる部分を指す。突部４９は、例えば、上壁３９の後方側の一部、第１後壁４０Ａ、第２後壁４０Ｂ、及び側壁３７、３８の後方側の一部で囲まれる部分を指す。
【００６１】
すなわち、突部４９は、上下方向７における基部４８の一部から後方に突出する。より詳細には、突部４９は、上下方向７における基部４８の上部から後方に突出する。基部４８及び突部４９の前後方向８の境界は、例えば、第１後壁４０Ａの延長線或いは第３後壁４０Ｃの延長線であってもよいし、第１後壁４０Ａの下端及び第３後壁４０Ｃの上端を結ぶ仮想線であってもよい。
【００６２】
上壁３９には、凸部４３及び操作部９０が設けられている。凸部４３は、上壁３９の外面から上方に突出し且つ前後方向８に延設されている。凸部４３の前方を向く面は、ロック面６２である。ロック面６２は、上壁３９よりも上方に位置している。ロック面６２は、カートリッジ装着部１１０にインクカートリッジ３０が装着された状態において、ロック部１２９に当接される面である。ロック面６２とロック部１２９とが当接することによって、インクカートリッジ３０がコイルバネ７８，９８の付勢力に抗して装着位置に保持される。
【００６３】
操作部９０は、上壁３９においてロック面６２より前方に設けられている。インクカートリッジ３０がカートリッジ装着部１１０に装着された状態において、操作部９０の操作面９２が下方へ押されると、インクカートリッジ３０が回動することによって、ロック面６２がロック部１２９より下方へ移動する。その結果、インクカートリッジ３０がカートリッジ装着部１１０から脱抜可能となる。
【００６４】
筐体３１の内部空間には、図６に示されるように、上部貯留室３２、下部貯留室３３、インクバルブ室３５、及び大気バルブ室３６が形成されている。上部貯留室３２、下部貯留室３３、インクバルブ室３５は、インクを貯留する。上部貯留室３２、下部貯留室３３、インクバルブ室３５は、第１貯留室の一例である。大気バルブ室３６には、上部貯留室３２と筐体３１の外部との間において、大気を流通させる。前壁４１は、上部貯留室３２及び下部貯留室３３に貯留されているインクの液面が視認可能な透光性を有する。前壁４１は、カートリッジ視認面の一例である。
【００６５】
上部貯留室３２及び下部貯留室３３は、筐体３１の内部空間を仕切る隔壁４５によって、上下方向７に隣接して配置されている。また、上部貯留室３２及び下部貯留室３３は、隔壁４５に形成された貫通孔４７によって連通されている。上部貯留室３２の容積は、下部貯留室３３及びインクバルブ室３５より大きい。上部貯留室３２は、基部４８及び突部４９に亘って形成されている。
【００６６】
上部貯留室３２及び大気バルブ室３６は、筐体３１の内部空間を仕切る隔壁４４によって、上下方向７に隣接して配置されている。また、上部貯留室３２及び大気バルブ室３６は、隔壁４４に形成された貫通孔４６によって連通されている。また、下部貯留室３３は、インクバルブ室３５より前後方向８の前方に位置している。そして、下部貯留室３３及びインクバルブ室３５は、貫通孔９９によって連通されている。下部貯留室３３及びインクバルブ室３５の容積は、タンク１０３の貯留室１２１より小さい。
【００６７】
大気バルブ室３６は、上部貯留室３２より上方に設けられた大気流路である。大気バルブ室３６には、不図示のラビリンス通路或いは半透膜が設けられていてもよい。大気バルブ室３６には、バルブ９７及びコイルバネ９８が収容されている。バルブ９７は、大気連通口９６を閉塞させる閉位置と、大気連通口９６を開放する開位置との間を移動可能である。コイルバネ９８は、バルブ９７を閉位置に移動させる向き、すなわち後方に付勢している。
【００６８】
インクカートリッジ３０がカートリッジ装着部１１０に装着される過程において、カートリッジ装着部１１０のロッド１２５（図７参照）が大気連通口９６を通じて大気バルブ室３６内に進入する。大気バルブ室３６内に進入したロッド１２５は、閉位置のバルブ９７をコイルバネ９８の付勢力に抗して前方へ移動させる。そして、バルブ９７が開位置に移動することによって、上部貯留室３２が大気開放される。なお、大気連通口９６を開放するための構成は、前述の例に限定されない。他の例として、大気連通口９６を封止するフィルムが、ロッド１２５によって突き破られてもよい。大気連通口９６は、第１大気連通部の一例である。
【００６９】
インク供給部３４は、第３後壁４０Ｃから後方へ突出している。より詳細には、インク供給部３４は、第１突部４９の下端より下方において、基部４８の後方を向く面に設けられるのが望ましい。インク供給部３４は、円筒形状の部材である。インク供給部３４の内部空間が、インクバルブ室３５である。インク供給部３４の突出先端は、インクカートリッジ３０の外部に開口している。第２後壁４０Ｂは、インク供給部３４の先端よりさらに後方に位置している。インクバルブ室３５には、シール部材７６と、バルブ７７と、コイルバネ７８とが収容されている。
【００７０】
シール部材７６は、中央に貫通孔が形成された円盤形状の部材である。シール部材７６の中央には、前後方向８に貫通したインク供給口７１が形成されている。インク供給口７１の内径は、インクニードル１０２の外径より若干小さい。バルブ７７は、インクバルブ室３５内において、シール部材７６と当接してインク供給口７１を閉塞させる閉位置と、シール部材７６から離間してインク供給口７１を開放する開位置との間を、前後方向８に沿って移動可能に構成されている。コイルバネ７８は、バルブ７７を閉位置に移動させる向き、すなわち後方に付勢している。
【００７１】
インクカートリッジ３０がカートリッジ装着部１１０に装着される過程において、カートリッジ装着部１１０のインクニードル１０２（図７参照）がインク供給口７１を通じてインクバルブ室３５に進入する。このとき、インクニードル１０２は、シール部材７６を弾性変形しつつ、インク供給口７１を画定する内周面に液密に接触する。インクカートリッジ３０がカートリッジ装着部１１０へさらに挿入されると、インクニードル１０２は、バルブ７７をコイルバネ７８の付勢力に抗して開位置へ移動させる。また、バルブ７７は、インクニードル１０２の開口１１６から突出するバルブ１１４をコイルバネ１１５の付勢力に抗して開位置へ移動させる。
【００７２】
これにより、図７に示されるように、インク供給口７１及び開口１１６が開放されて、インク供給部３４のインクバルブ室３５及びインクニードル１０２の内部空間の間において、インクが流通可能になる。この状態は、インク供給部３４及びジョイント１０７に接続された状態の一例である。その結果、接続されたインク供給部３４及びジョイント１０７を通じて、上部貯留室３２及び下部貯留室３３に貯留されたインクが水頭差によってタンク１０３の貯留室１２１へ流出される。
【００７３】
図３に示されるように、カートリッジ装着部１１０にインクカートリッジ３０が装着された状態において（図３における左端の位置の状態）、インクカートリッジ３０の前壁４１は、カートリッジケース１０１の開口１１２を通じて、前方を向いて露出されている。図１（Ｂ）に示されるように、カバー８７が筐体１４の開口８５を開放する位置にあると、インクカートリッジ３０の前壁４１と、タンク１０３のタンク視認面１２２とが、前方を向いて外部へ露出される。したがって、ユーザは、複合機１０の前面１４Ａと向き合った状態において、インクカートリッジ３０の前壁４１を通じて、上部貯留室３２及び下部貯留室３３に貯留されたインクの液面を目視により確認することができる。また、ユーザは、タンク１０３のタンク視認面１２２を通じて、貯留室１２１の下部領域１２１Ｌに貯留されたインクの液面を目視により確認することができる。
【００７４】
また、図１（Ａ）に示されるように、カバー８７が筐体１４の開口８５を閉塞する位置にあるとき、インクカートリッジ３０の前壁４１と、タンク１０３のタンク視認面１２２とが、カバー８７の窓８４を通じて、外部から視認可能である。したがって、ユーザは、複合機１０の前面１４Ａと向き合った状態において、インクカートリッジ３０の前壁４１を通じて、上部貯留室３２及び下部貯留室３３に貯留されたインクの液面を目視により確認することができる。また、ユーザは、タンク１０３のタンク視認面１２２を通じて、貯留室１２１の下部領域１２１Ｌに貯留されたインクの液面を目視により確認することができる。
【００７５】
［本実施形態の作用効果］
本実施形態によれば、タンク視認面１２２を通じて貯留室１２１に貯留されているインクの状態を、筐体１４の外部から確認することができる。特に、インクカートリッジ３０からインクが供給されなくなった後の、貯留室１２１の下部領域１２１Ｌに貯留されているインクの状態を、筐体１４の外部から確認することができる。
【００７６】
また、例えば、液面センサ５５の出力信号に基づいて、貯留室１２１においてインクの液面が下部領域１２１Ｌと最下部領域１２０との境界未満となったとき、すなわちインクエンプティとなったときに、最下部領域１２０に残っているインクの液面が、タンク視認面１２２を通じて視認されない。これにより、ユーザが、タンク視認面１２２を通じてインクエンプティを直感的に把握できる。また、最下部領域１２０の流出口１２８から記録ヘッド２１へ気体が進入することを抑制できる。
【００７７】
また、カバー８７の窓８４を通じて、筐体１４の外部からタンク視認面１２２を視認することができる。また、インクカートリッジ３０の前壁４１を通じて、上部貯留室３２及び下部貯留室３３に貯留されたインクの液面を目視により確認することができる。また、インクカートリッジ３０がカートリッジ装着部１１０に装着された状態であって、複合機１０の使用姿勢において、インクカートリッジ３０の前壁４１を上方として、前壁４１とタンク視認面１２２とが上下にレイアウトされるので、上部貯留室３２及び下部貯留室３３と、貯留室１２１とにそれぞれ貯留されているインクの状態が把握しやすい。
【００７８】
［変形例］
図８に示されるように、カートリッジケース１０１の底壁１４２を貫通する貫通口１４６が形成されており、貫通口１４６を通じてタンク１０３の下部領域１２１Ｌが視認可能になっていてもよい。すなわち、下部領域１２１Ｌを区画する上壁が透光性を有しており、視認面として機能してもよい。これにより、仮に、下部領域１２１Ｌの前面（タンク視認面１２２）が外部から視認できない構成であったとしても、カートリッジ装着部１１０からインクカートリッジ３０が取り外された状態において、カートリッジケース１０１の貫通口１４６を通じて下部領域１２１Ｌのインクの状態を目視により確認することができる。この場合、カートリッジ装着部１１０からインクカートリッジ３０が取り外されると、カバー８７が閉じられた状態において、カバー８７の窓８４を通じて、カートリッジケース１０１の貫通口１４６を筐体１４の外部から視認することができる。
【００７９】
［その他の変形例］
また、前述された実施形態では、カートリッジ装着部１１０に対して、インクカートリッジ３０が前方から挿抜されるが、挿抜方向は前方に限らない。例えば、カートリッジ装着部１１０に対して、インクカートリッジ３０が上方から挿抜されてもよい。
【００８０】
また、カバー８７の窓８４は、インクカートリッジ３０の前壁４１及びタンク１０３のタンク視認面１２２の両方を視認可能とするものに限らない。例えば、図９（Ａ）に示されるように、カバー８７は、カートリッジケース１０１の開口１１２のみを開閉するように設けられていてもよい。すなわち、タンク１０３のタンク視認面１２２より上方に位置していてもよい。そして、カバー８７の下方における筐体１４の前面に窓８３が設けられていてもよい。これにより、窓８３を通じて、タンク１０３のタンク視認面１２２が外部から視認できる。また、窓８３は、必ずしも透光性を有する部材が設けられていなくてもよく、例えば、筐体１４の前壁を貫通する貫通孔であってもよい。また、当該貫通孔を開閉するカバーが設けられてもよい。この場合、インクカートリッジ３０の前壁４１は、透光性を有していても、いなくてもよい。
【００８１】
また、前述された実施形態では、タンク１０３においてタンク視認面１２２が前方を向いた面として設けられているが、タンク１０３において、タンク視認面１２２は前方を向いている面に限らない。例えば、図９（Ｂ）に示されるように、タンク１０３の側面にタンク視認面が設けられており、筐体１４の側壁に貫通孔８２が形成されて、タンク１０３の側面のタンク視認面が筐体１４の外部に対して露出されていてもよい。
【００８２】
また、タンク視認面は、タンク１０３に貯留されたインクの液面が確認できるものに限定されない。例えば、タンク１０３において、下部領域１２１Ｌと最下部領域１２０とがチューブのような流路により接続されており、この流路が筐体１４の外部から視認可能であってもよい。この場合、下部領域１２１Ｌにインクが貯留されていれば、流路がインクで満たされており、下部領域１２１Ｌのインクがなくなれば、流路が空気で満たされる。したがって、ユーザは、筐体１４の外部から視認可能な流路を目視して、流路がインクで満たされているか否かによって、下部領域１２１Ｌにおけるインクの有無を確認することができる。
【００８３】
また、前述された実施形態では、タンク１０３の貯留室１２１は最下部領域１２０を有しているが、最下部領域１２０は設けられなくてもよい。貯留室１２１に最下部領域１２０が設けられない態様においては、下部領域１２１Ｌに流出口１２８が設けられる。また、液面センサ５５は、貯留室１２１のインクの液面が、上部領域１２１Ｕと下部領域１２１Ｌとの境界位置未満であるか否かによって信号を出力し、その液面センサ５５の出力に応じてインクエンプティが判断される。
【符号の説明】
【００８４】
１０・・・複合機（液体排出装置）
２１・・・記録ヘッド（ヘッド）
３０・・・インクカートリッジ（カートリッジ）
３２・・・上部貯留室（第１貯留室）
３３・・・下部貯留室（第１貯留室）
３４・・・インク供給部（供給部）
３５・・・インクバルブ室（第１貯留室）
４１・・・前壁（カートリッジ視認面）
８４・・・窓
８７・・・カバー
９６・・・大気連通口（第１大気連通部）
１０１・・・カートリッジケース
１０３・・・タンク
１０７・・・ジョイント
１１７・・・開口（流出口）
１２０・・・最下部領域
１２１・・・貯留室（第２貯留室）
１２１Ｌ・・・下部領域
１２２・・・タンク視認面
１２８・・・流出口
１２４・・・大気連通ポート（第２大気連通部）
１４６・・・貫通口
【図１】
2019116017.tif 000003
【図２】
2019116017.tif 000004
【図３】
2019116017.tif 000005
【図４】
2019116017.tif 000006
【図５】
2019116017.tif 000007
【図６】
2019116017.tif 000008
【図７】
2019116017.tif 000009
【図８】
2019116017.tif 000010
【図９】
2019116017.tif 000011